(57)【要約】【課題】縦フレームを必要とせず、スクリーンの両側端縁が、風や人の接触で必要以上になびかずに、コストダウン及び軽量化が可能であるスクリーンパネルを提供すること。【解決手段】ベース３から立設させた支柱４の上下に、左右方向を向く横フレーム５、６を各々取り付け、前記両横フレーム５、６間に、スクリーン９を張設するとともに、該スクリーン９の左右両端縁の少なくとも一部が略環状の袋とじ１０になっており、この袋とじ１０に上下に延びる芯材１１を挿設できるようにしたスクリーンパネル１を構成する。【選択図】  図１
2004204593.tif 000002
【特許請求の範囲】
【請求項１】
ベースから立設させた支柱の上下に、左右方向を向く横フレームを各々取り付け、前記両横フレーム間に、スクリーンを張設するとともに、該スクリーンの左右両端縁の少なくとも一部が略環状のリング部になっており、該リング部に上下に延びる芯材を挿設したことを特徴とするスクリーンパネル。
【請求項２】
前記芯材の上下端が、前記両横フレームの各端部に設けられた溝部に嵌合するようになっている請求項１に記載のスクリーンパネル。
【請求項３】
少なくとも上下いずれかの前記横フレームの端部には、エンドキャップが取り付けられており、前記溝部が前記エンドキャップに形成されている請求項２に記載のスクリーンパネル。
【請求項４】
スクリーンの上下の長さより若干長い芯材を曲率をもたせて前記リング部に挿設できるようになっている請求項１ないし３何れかに記載のスクリーンパネル。
【請求項５】
前記芯材が弾性材で構成されており、前記横フレーム間に固定できるようになっている請求項４に記載のスクリーンパネル。
【発明の詳細な説明】
【０００１】
【発明の属する技術分野】
本発明は、床面に立設させた間仕切りとしてのスクリーンパネルに関する。
【０００２】
【従来の技術】
従来、オフィスなどで使用されている間仕切りとしてのパネル等において、布地などで構成されるスクリーンを張るには、スクリーンの四方にフレームを設け、下部のフレームにベースを取り付けて、床面に立設するものがある。（例えば、特許文献１参照）
【０００３】
【特許文献１】
実公昭６０−１６７２号公報（第１−２頁、第１図）
【０００４】
【発明が解決しようとしている課題】
しかしながら、文献１にあっては、横フレームの左右両側にある縦フレームが存在しているため、スクリーンの左右端縁にたるみや風によるなびきが生じても、この縦フレームで隠蔽できるものであるが、縦フレームの存在により、このようなスクリーンパネルを製造するのにはコストがかさむとともに、重量も増えるので移動し難いものになっていた。
【０００５】
本発明は、このような問題点に着目してなされたもので、縦フレームを必要とせず、スクリーンの両側端縁が、風や人の接触で必要以上になびかずに、コストダウン及び軽量化が可能であるスクリーンパネルを提供することを目的とする。
【０００６】
【課題を解決するための手段】
上記の目的を解決するために、本発明のスクリーンパネルは、ベースから立設させた支柱の上下に、左右方向を向く横フレームを各々取り付け、前記両横フレーム間に、スクリーンを張設するとともに、該スクリーンの左右両端縁の少なくとも一部が略環状のリング部になっており、該リング部に上下に延びる芯材を挿設したことを特徴としている。
この特徴によれば、スクリーンの左右両側にある縦フレームがなくても、上下の横フレームだけでスクリーンを張設することができるようになるとともに、芯材をスクリーンの左右両側端縁のリング部に挿設することで、スクリーンの側端縁が、風や人の接触で必要以上になびくのを防げるようになり、また、スクリーンパネルの構造を簡素化できるので、コストダウン及び軽量化が期待できるようになる。
【０００７】
本発明のスクリーンパネルは、前記芯材の上下端が、前記両横フレームの各端部に設けられた溝部に嵌合するようになっていることが好ましい。
このようにすれば、芯材の上下端が、両横フレームの各端部に設けられた溝部に嵌合するために、上下の両横フレームによって芯材が強固に固定でき、芯材の動きを可能な限り制限できるようになる。
【０００８】
本発明のスクリーンパネルは、少なくとも上下いずれかの前記横フレームの端部には、エンドキャップが取り付けられており、前記溝部が前記エンドキャップに形成されていることが好ましい。
このようにすれば、スクリーンパネルを組み立てる際に、張設したスクリーンのリング部に芯材を挿入後に、エンドキャップの溝部を芯材の端部に嵌合させて横フレームに固定することができるので、容易に組み立てることができるようになる。
【０００９】
本発明のスクリーンパネルは、スクリーンの上下の長さより若干長い芯材を曲率をもたせて前記リング部に挿設できるようになっていることが好ましい。
このようにすれば、スクリーンにテンションをかけて張設できるようになる。
【００１０】
本発明のスクリーンパネルは、前記芯材が弾性材で構成されており、前記横フレーム間に固定できるようになっていることが好ましい。
このようにすれば、芯材を容易にリング部に挿入できるようになり、挿設時には、所定の曲率をもたせてより強力にテンションをかけることができるようになる。
【００１１】
【発明の実施形態】
以下、本発明の実施例を図面に基づいて説明すると、先ず図１は、本発明の第１実施形態におけるスクリーンパネルの全体像を示す斜視図であり、図１の符号１は、スクリーンパネルであり、このスクリーンパネル１には、床面２に設置されたベース３から垂直に延びる１本の四角柱状の支柱４があり、支柱４の正面を向く面の最上部と最下部近傍には、ほぼ水平に離間して対向する横フレーム５、６がブラケット７、８によって取り付けられている。
【００１２】
より詳しくは、図１のブラケット７、８は、上面視で略へ字状をしており、その中央部が支柱４の上下に離間して固定されており、ブラケット７、８の左右に延びた端部に、横フレーム５、６が互いに水平を保ちながら取り付けられている。また、スクリーン９は、長方形をした１枚の布地で構成されており、このスクリーン９の上下端縁は、上下に取り付けられた横フレーム５、６によって掴持されている。
【００１３】
図１を使って詳述すると、横フレーム５、６は、左右方向を向き、上面視で直線を描いており、その長手方向のほぼ重心位置近傍で支柱４に支持されているので、例え横フレーム５、６が長くても、中央部の支柱４で安定して支持できるようになるばかりか、支柱４を掴むだけで容易に持ち運びできるようになり、また、スクリーン９と支柱４の間が開いているので、持ち運びの際に支柱４が掴みやすくなっている。更に、ベース３は上面視が略Ｘ字状をしており、略Ｘ字状をなすことによって、スクリーンパネル１が前後左右のいずれかの方向に倒れにくくなっている。
【００１４】
図２は、図１に示したＡ−Ａ断面におけるスクリーン９の上断面図であり、スクリーン９の左右両端縁には、断面が略環状のリング部である袋とじ１０が形成されており、この袋とじ１０内に芯材１１が挿設されている。
【００１５】
図３は、スクリーンパネル１の側端部を示した斜視図であり、芯材１１は合成樹脂等の材質で作られた円柱状の棒体であり、上下間の長さが張設されたスクリーン９の上下間の長さとほぼ同じ長さをしている。また、上下両横フレーム５、６の両端部には、エンドキャップ１２、１３が取り付け、取り外し可能になっている。
【００１６】
図３を参照して芯材１１の取り付け作業を説明すると、スクリーン９が横フレーム５、６間に張設された後に、芯材１１を袋とじ１０の上部の開口部１０ａから挿入する。次にこの芯材１１の下端部１１ｂを、下部の横フレーム６の端部に取り付けてあるエンドキャップ１３に設けられた溝部１３ａに嵌合し、続いて芯材１１の上端部１１ａに、エンドキャップ１２に設けられた溝部１２ａを嵌合する。その後、エンドキャップ１２に設けられた孔部１２ｂからネジ１４を挿入し、ネジ１４の先端を横フレーム５の末端に形成された雌ネジ部５ａに螺合することで、エンドキャップ１２は横フレーム５に固定されるようになる。
【００１７】
このため、スクリーン９の左右両側にある縦フレームがなくても、上下の横フレーム５、６だけでスクリーン９を張設することができるようになるとともに、芯材１１をスクリーン９の左右両側端縁の袋とじ１０に挿設することで、スクリーン９の側端縁が、風や人の接触で必要以上になびくのを防げるようになる。また、スクリーンパネル１は強固な縦フレームを使用する必要がなくなり、構造を簡素化できるので組立工数を減らすことができ、コストダウンが期待できるようになり、軽量化も可能になっている。更に、芯材１１がスクリーン９内部に隠蔽されているため、縦方向のフレームが外に露出せず見栄えが向上する。
【００１８】
図４は、第２実施形態に係るスクリーンパネル１５であり、（ａ）に示されている芯材１６は弾力性を有するバネ鋼等の材質で作られており、かつ断面が長方形をした板状であり、側面視が正面方向に膨出した曲線を描く略円弧状をしている。
【００１９】
図４の（ｂ）は、スクリーンパネル１５の全体像を示す斜視図であり、横フレーム１８、１９に張設されたスクリーン１７の左右両端縁には、断面が略環状のリング部である袋とじ２０が形成されており、この袋とじ２０内に略円弧状をしている芯材１６を挿入することにより、スクリーン１７を正面方向に膨出させた立体的な曲面が形成できるようになっている。
【００２０】
図５の（ａ）と（ｂ）は、スクリーンパネル１５の側端部を示した斜視図であり、芯材１６の円弧の長さは、スクリーン１７の上下の長さより若干長くなっており、袋とじ２０に挿入しやすいように緩やかな円弧状をしている。また、上下両横フレーム１８、１９の両端部には、前記第1実施形態と同様にエンドキャップ２１、２２が取り付け、取り外し可能になっている。エンドキャップ２１、２２の溝部２１ａ、２２ａは、断面が長方形をしており、芯材１６の上下端部１６ａ、１６ｂと互いに嵌合できるようになっており、嵌合することで芯材１６が挿設された際に、芯材１６の長手方向の軸回転を防ぐことができるようになっている。
【００２１】
より詳しく図５を参照して説明すると、（ａ）に示すように、芯材１６の下端部１６ｂは、袋とじ２０の上部の開口部２０ａから挿入され、下部のエンドキャップ２２の溝部２２ａに嵌合する。続いて上方のエンドキャップ２１の溝部２１ａが、芯材１６の上端部１６ａに嵌合して取り付けられ、この状態のままエンドキャップ２１は、矢印に示すように、上方から押圧されながら横フレーム１８にネジ２３によって固定される。
【００２２】
この実施形態にあっては、弾性有する芯材１６を使うことで、挿入時は、芯材１６が曲率の小さい状態であり、袋とじ２０に挿入しやすく、そして芯材１６を袋とじ２０に挿入後に、芯材１６の上下端部１６ａ、１６ｂをエンドキャップ２１、２２の溝部２１ａ、２２ａに嵌合させることで、上下からの力で屈曲させながら大きな曲率にして固定できるので、スクリーン１７を張設した際に、（ｂ）の矢印のように、スクリーン１７が正面方向に膨出されることとなり、テンションをスクリーン１７に与えることができ、かつ立体的な曲面を持つスクリーン１７を張設しやすくなる。
【００２３】
また、芯材１６は弾性を有しないものであっても、スクリーン１７の長さより若干長ければ、上記実施例と同様に、芯材１６がスクリーン１７を上下方向に引っ張る作用をするので、スクリーン１７にテンションをかけることができるようになる。
【００２４】
以上、本発明の実施例を図面により説明してきたが、具体的な構成はこれら実施例に限られるものではなく、本発明の要旨を逸脱しない範囲における変更や追加があっても本発明に含まれる。
【００２５】
例えば、芯材が側面視で略く字状や波を描く曲線状に形成すれば、スクリーンの面をくの字形や波形の立体的な曲面として形成することも可能であり、格別弾性を用いる必要もない。
【００２６】
【発明の効果】
本発明は以下の効果を奏する。
【００２７】
（ａ）請求項１に記載の発明によれば、スクリーンの左右両側にある縦フレームがなくても、上下の横フレームだけでスクリーンを張設することができるようになるとともに、芯材をスクリーンの左右両側端縁のリング部に挿設することで、スクリーンの側端縁が、風や人の接触で必要以上になびくのを防げるようになり、また、スクリーンパネルの構造を簡素化できるので、コストダウン及び軽量化が期待できるようになる。
【００２８】
（ｂ）請求項２に記載の発明によれば、芯材の上下端が、両横フレームの各端部に設けられた溝部に嵌合するために、上下の両横フレームによって芯材が強固に固定でき、芯材の動きを可能な限り制限できるようになる。
【００２９】
（ｃ）請求項３に記載の発明によれば、スクリーンパネルを組み立てる際に、張設したスクリーンのリング部に芯材を挿入後に、エンドキャップの溝部を芯材の端部に嵌合させて横フレームに固定することができるので、容易に組み立てることができるようになる。
【００３０】
（ｄ）請求項４に記載の発明によれば、スクリーンにテンションをかけて張設できるようになる。
【００３１】
（ｅ）請求項５に記載の発明によれば、芯材を容易にリング部に挿入できるようになり、挿設時には、所定の曲率をもたせてより強力にテンションをかけることができるようになる。
【図面の簡単な説明】
【図１】本発明の第１実施形態におけるスクリーンパネルの全体像を示す斜視図である。
【図２】図１に示したＡ−Ａ断面におけるスクリーンの上断面図である。
【図３】第１実施形態におけるスクリーンパネルの側端部を示した斜視図である。
【図４】（ａ）は、第２実施形態における芯材を示した斜視図であり、（ｂ）は、スクリーンパネルを示す斜視図である。
【図５】第２実施形態におけるスクリーンパネルの側端部を示した斜視図であり、（ａ）は上部エンドキャップの取付前の図であり、（ｂ）は取付後の図である。
【符号の説明】
１                  自立式パネル
２                  床面
３                  ベース
４                  支柱
５、６              横フレーム
５ａ                雌ネジ部
７、８              ブラケット
９                  スクリーン
１０                袋とじ
１０ａ              開口部
１１                芯材
１１ａ              上端部
１１ｂ              下端部
１２、１３          エンドキャップ
１２ａ、１３ａ      溝部
１２ｂ              孔部
１４                ネジ
１５                スクリーンパネル
１６                芯材
１６ａ              上端部
１６ｂ              下端部
１７                スクリーン
１８、１９          横フレーム
２０                袋とじ
２０ａ              開口部
２１、２２          エンドキャップ
２１ａ、２２ａ      溝部
２３                ネジ
【図１】
2004204593.tif 000003
【図２】
2004204593.tif 000004
【図３】
2004204593.tif 000005
【図４】
2004204593.tif 000006
【図５】
2004204593.tif 000007